(57)【要約】【課題】ベッドパッドとマットレス、ベッドパッドとシーツのずれを簡単な構成により防止し、高齢者、又は腕力の弱い女性、子供などでもずれが防止できるベッドパッドを提供すること。【解決手段】吸湿性を有する布地から成り、マットレス１とシーツ３との間に敷かれるベッドパッド２において、滑り止め機能を有する素材から成るずれ止め部５を、両面に所定間隔にて点在させて設けた。【選択図】　図１
2004057377.tif 000002
【特許請求の範囲】
【請求項１】
マットレスとシーツとの間に敷かれるベッドパッドにおいて、
滑り止め機能を有する素材から成るずれ止め部を、両面に設けたことを特徴とするベッドパッド。
【請求項２】
前記ずれ止め部は、ベッドパッド上に点在し、所定間隔で設けられることを特徴とする請求項１に記載のベッドパッド。
【請求項３】
前記ずれ止め部の形状は、十字状または正円であることを特徴とする請求項１または請求項２に記載のベッドパッド。
【請求項４】
前記素材は、発泡性樹脂または生ゴムを含むことを特徴とする請求項１乃至特徴事３のいずれかに記載のベッドパッド。
【請求項５】
前記ずれ止め部は、略１０〜２０ｍｍの間隔で設けられることを特徴とする請求項１乃至請求項４のいずれかに記載のベッドパッド。
【発明の詳細な説明】
【０００１】
【発明が属する技術分野】
本発明は、ベッドのマットレスとシーツの間に敷かれるベッドパッドに関するものであり、特に、マットレスやシーツからのずれを防止したベッドパッドに係る。
【０００２】
【従来の技術】
従来、一寝具であるベッドパッドは、吸湿性の良い布地から出来ており、ベッドにおいてはマットレスとシーツとの間に敷かれて使用される。一般的に、ベッドパッドは、睡眠時における汗の吸収を行ったり、クッション性の付加によって、就寝者の寝心地を良くする機能を有する。この様なバッドパッドは、就寝者がベッド等で寝返りを打つと、ベッドパッドやシーツから徐々にずれてしまうことが起こり得る。この為、ベッドパッドがマットレスからずれたり、捲れたりしない様、ベッドパッドの四隅にゴム等を取り付けて、ベッドパッドの四隅をマットレスの端にゴム等を引っ掛けて留めることによって、ずれを防止している。
【０００３】
【発明が解決しようとする課題】
上記した様に、ベッドパッドの四隅にゴム等を設け、ベッドパッドのマットレスに対するずれまたは捲くれあがることを防止する方法においては、マットレスの端部を上方に持ち上げて、マットレスの下にゴムを引っ掛けてから、マットレスを下方に下ろす作業が必要となる。このため、ベッドメーキング時の作業性が良いとは言えず、特に、この作業は高齢者、又は腕力の弱い女性、子供などにとっては、困難な作業となる。
【０００４】
また、この方法では、ベッドパッドとマットレスとのずれは防止することができるが、ベッドパッドとシーツとの間にもずれが発生することから、このベッドパッドとシーツとのずれは解消することができない。
【０００５】
そこで、本技術はこの様な問題点に鑑みてなされたものであり、ベッドパッドとマットレス、ベッドパッドとシーツのずれを共に防止すること、そのずれを簡単な構成により確実に防止すること、高齢者、又は腕力の弱い女性、子供などでもずれが防止できるものとすることを、技術的課題とする。
【０００６】
【課題を解決するための手段】
上記した技術的課題を解決するために講じた手段は、請求項１に示すように、マットレスとシーツとの間に敷かれるベッドパッドにおいて、滑り止め機能を有する素材から成るずれ止め部を、両面に設けたことである。
【０００７】
上記した手段によれば、滑り止め機能を有する素材から成るずれ止め部を、ベッドパッドの両面に設けたので、両面に設けられたずれ止め部によって、ベッドパッドとマットレス、ベッドパッドとシーツのずれが共に防止される。これは、単に、布地にずれ止め部を設ければ良いので、従来の様に、マットレスを持ち上げてベッドパッドをマットレスの両端に固定しなくて良い。このため、ベッドメーキング時の作業性が良く、上記したずれ防止が行える。これは、マットレスとシーツとの間にベッドパッドを敷けば良いので、高齢者、又は腕力の弱い女性、子供などでも難なく行える。
【０００８】
この場合、ずれ止め部は、ベッドパッド上に点在し、一定間隔で設けられると、一定間隔に点在して設けられたずれ止め部によって、広範囲でのずれが防止される。
【０００９】
また、ずれ止め部の形状は、十字状または正円であれば、ベッドの長手方向や幅方向において、均等にずれが防止される。この場合、意匠的に良いものとなり、使用者に意匠的な違和感を与えない。
【００１０】
更に、素材は、発泡性樹脂または生ゴムであれば、弾力性が良く柔らかくなり、寝心地が良くなる。
【００１１】
更にその上、ずれ止め部は、略１０〜２０ｍｍの間隔で設けられるか、または、大きさが数ｍｍであれば、間隔や大きさを調整することによって、より一層、しっかりとしたずれ防止が行える。
【００１２】
【発明の実施の形態】
本発明の一実施形態におけるベッドパッド２について、以下に説明する。図１は、ベッドパッド２の設けられる位置を示している。マットレス１は、通常、図示しないベッド枠の上に置かれるものであり、このマットレス１の上に、ベッドパッド２は重ねられ、敷かれる。そして、ベッドパッド２上に、シーツ３が敷かれた状態で、通常は使用される。
【００１３】
ベッドパッド２は、図２に示す様に、マットレス１の形状に合う様、長方形状を呈し、斜め方向において略４５度の角度でメッシュ状にキルト縫製された、吸湿性の良い布地（例えば、綿、ポリエステル、綿＋ポリエステル等）から作られている。キルト縫製ライン４はベッドパッド２の布地全面に渡っている。また、ベッドパッド２は、ライン４の部位では薄く、ライン以外の部位では若干厚くなっており、端部は円形にトリミングされている。
【００１４】
このベッドパッド３には、図３に示す如く、表面および裏面の両側に十字状の模様をしたずれ止め部５が全体的に点在し、布地上に設けられている。このずれ止め部５は、見栄え良く等間隔で全面に形成されており、ベッドパッド２の表裏を包んでいる布地において、規則的に印刷により付着されるか、または、接着等により溶着されている。このずれ止め部５は、間隔が数１０ｍｍ（例えば、１０〜２０ｍｍ）程度で設けられ、大きさは数ｍｍ（例えば、２ｍｍ以上）となっている。ずれ止め部５を上記した間隔にすることによって、マットレス１とシーツ３との間で全体的にずれを確実に防止することができると共に、上記した大きさにすることによって、就寝者が就寝状態時における違和感を防止することができる。また、ずれ止め部５は発泡性の樹脂より成り、アクリル系樹脂と生ゴムとの混合物を発泡プリント化することにより形成される。これによって、ずれ止め部５での弾力性が生まれるので、ベッドパッド２の表面にずれ止め部５が設けられていても柔らかく、違和感を感じさせなくすることができる。尚、この場合、ずれ止め部５の間隔を広く取ることも可能である。
【００１５】
また、図２ではずれ止め部５を十字状としたが、これに限定されるものではなく、例えば、図４に示す如く、見栄えを良くするために正円としても、図３と略同様な効果を奏する。
【００１６】
次に、図５を参照して、ベッドパッド２の断面について説明する。図５の中心部には、クッション材（例えば、綿等）７があり、クッション材７を表裏両側から布地６で覆い、その上からキルト縫製したキルティング加工が施されている。
【００１７】
上記したベッドパッド２を、図１の如く、マットレス１とシーツ３との間に敷いて、就寝者が寝た場合には次に示す作用が得られる。つまり、マットレス１とシーツ３との間に挟まれるベッドパッド２は、就寝者がシーツ３上に寝た場合、マットレス１は表面の素材の硬さに応じて変形し、これに伴って、マットレス１上のベッドパッド２はマットレス１に添って変形する。ベッドパッド２は、内部に設けられたクッション材７により柔らかな状態で、所定間隔で点在するずれ止め部５がマットレス１に十分接触した状態となる。この状態で、就寝者が寝返りをうち、シーツ３およびベッドパッド２が、仮に引っ張られたとしても、ずれ止め部５が存在するために位置のずれが発生しにくく、簡単にはマットレス１とベッドパッド２との接点が移動することはない。
【００１８】
更に、ベッドパッド２とシーツ３との接触面を考えると、シーツ３の柔らかさはベッドパッド２の柔らかさよりも勝っているため、シーツ３はベッドパッド２に添って敷かれるものとなる。そのため、ベッドパッド２のずれ止め部５がシーツ３と十分に接触する状態となるので、シーツ３はベッドパッド２に対してずれにくくなる。
【００１９】
よって、以上の事から、滑り難い素材をベッドパッド２に表面全体に点在させて設けることによって、ベッドパッド２とマットレス１およびバッドパッド２とシーツ３とのずれを防止することができる。
【００２０】
【発明の効果】
本発明によれば、滑り止め機能を有する素材から成る、ずれ止め部をベッドパッドの両面に設けたので、両面に設けられたずれ止め部により、ベッドパッドとマットレス、ベッドパッドとシーツのずれを共に防止できる。これは、マットレスを持ち上げてベッドパッドをマットレスの両端に固定しなくて良いので、作業性が向上し、ずれ防止が行なえる。マットレスとシーツとの間にベッドパッドを敷けば良いので、高齢者、又は腕力の弱い女性、子供などでも難なくベッドメーキングができるものとなる。
【００２１】
この場合、ずれ止め部は、ベッドパッド上に点在し、一定間隔で設けられると、一定間隔に点在して設けられたずれ止め部によって、広範囲でのずれを防止できる。
【００２２】
また、ずれ止め部の形状は、十字状または正円であれば、ベッドの長手方向や幅方向において、均等にずれを防止することができ、意匠的に見栄えを良くでき、使用者に違和感を与えなくすることができる。
【００２３】
更に、素材は、発泡性樹脂または生ゴムであれば、弾力性が良く柔らかくなり、寝心地を良くすることができる。
【００２４】
更にその上、ずれ止め部は、略１０〜２０ｍｍの間隔で設けられるか、または、大きさが数ｍｍであれば、間隔や大きさを調整することによって、より一層、しっかりとしたずれ防止ができる。
【図面の簡単な説明】
【図１】本発明の一実施形態におけるマットレスとシーツとの間にベッドパッドが設けられる状態を示す斜視図である。
【図２】図１に示すベッドパッドの形状を示す正面図である。
【図３】図１に示すベッドパッドに設けられるずれ止め部の形状を十字状にした場合の要所部分拡大図である。
【図４】図１に示すベッドパッドに設けられるずれ止め部の形状を正円にした場合の要所部分拡大図である。
【図５】図１に示すベッドパッドの要所部分断面図である。
【符号の説明】
１　マットレス
２　ベッドパッド
３　シーツ
４　キルト縫製ライン
５　ずれ止め部
６　布地
９　ベッド
【図１】
2004057377.tif 000003
【図２】
2004057377.tif 000004
【図３】
2004057377.tif 000005
【図４】
2004057377.tif 000006
【図５】
2004057377.tif 000007